(57)【要約】【目的】本発明は、ゴミ袋ケースに関する発明である。【構成】本発明は、左右前片、左右後片、左半円片を持つ左中片、右半円片を持つ右中片及び底片とからなり、折り畳み及び切り取り可能に連設した蓋部と、底面左右片を持つ底片、左側面差込み片を連設した左側面片と右側面差込み片を連設した右側面片を持つ背面片、上面左右片を持つ上面片及び内底片を連設した正面片を折り畳み可能に連設するとともに前記蓋部を設けた収納部とからなることを特徴とするゴミ袋ケースの構成とした。【選択図】  図１
2004182398.tif 000002
【特許請求の範囲】
【請求項１】
左右前片、左右後片、左半円片を持つ左中片、右半円片を持つ右中片及び底片とからなり、折り畳み及び切り取り可能に連設した蓋部と、底面左右片を持つ底片、左側面差込み片を連設した左側面片と右側面差込み片を連設した右側面片を持つ背面片、上面左右片を持つ上面片及び内底片を連設した正面片を折り畳み可能に連設するとともに前記蓋部を設けた収納部とからなることを特徴とするゴミ袋ケース。
【請求項２】
ゴミ袋ケース内に、多数枚のゴミ袋の中心に芯材を挟みＷ字状に折り畳んで収納したことを特徴とする請求項１に記載のゴミ袋ケース。
【請求項３】
背面片と正面片に挿入口を設け、蓋部を挿入可能にしたことを特徴とする請求項１に記載のゴミ袋ケース。
【請求項４】
カレンダーの外側に差し込み用スリットを設けたことを特徴とする請求項１、２又は３に記載のゴミ袋ケース。
【発明の詳細な説明】
【０００１】
【発明が属する技術分野】
本発明は、一般家庭から出るゴミ、生ゴミ等を入れて廃棄処理するためのゴミ袋を収納するゴミ袋ケースに関する発明である。
【０００２】
【従来の技術】
従来、使用されていたゴミ袋ケース６は、図１１に示すように、正面片６ａ、右側面片６ｂ、上面片６ｃと直方体形状をしたケースである。正面片６ａの中央上部より上面片６ｃの半分より前側部分にかけて正面蓋片６ｅ、蓋片６ｄと連設した蓋が付いている。
【０００３】
【発明が解決しようとする課題】
しかしながら、従来のゴミ袋ケース６は、図１２に示すように、左側面差込み片６ｊが連設された左側面片６ｉを開け、上面左片６ｇと底面左片６ｈを開けると多数のゴミ袋７が折り畳たまれて横一列に密着するように詰め込まれていて、１枚のゴミ袋７を取り出す時には、折り畳まれて収納されている各ゴミ袋７同士が接着した状態で、ゴミ袋７が同時に２枚又は３枚と一緒に引き出されてしまうとの欠点があった。
【０００４】
また、ゴミ袋７が収納されているゴミ袋ケース６自体は起立させて置くことができないために、横置きとしていたために１枚のゴミ袋７を引き出して取り出すのに両手を使用しなければならないとの欠点があった。
【０００５】
更に、ゴミ袋７を収納したゴミ袋ケース６は、縦置きしても直ぐに倒れてしまい、ゴミ袋ケース６に収納されているゴミ袋７の１枚を引いて取り出すのには両手を使用しなければならないとの欠点があった。
【０００６】
そこで、本発明は、ゴミ袋ケース６を安定した状態で縦置きすることができ、ゴミ袋ケース６内に収納されているゴミ袋７をゴミ袋ケース６内から一枚づつ確実にしかも容易に取り出すことができるゴミ袋７を収納したゴミ袋ケース６を提供することを目的としている。
【０００７】
【課題を解決するための手段】
本発明であるゴミ袋ケースは、上記の課題を解決するために、左右前片、左右後片、左半円片を持つ左中片、右半円片を持つ右中片及び底片とからなり、折り畳み及び切り取り可能に連設した蓋部と、底面左右片を持つ底片、左側面差込み片を連設した左側面片と右側面差込み片を連設した右側面片を持つ背面片、上面左右片を持つ上面片及び内底片を連設した正面片を折り畳み可能に連設するとともに前記蓋部を設けた収納部とからなることを特徴とするゴミ袋ケースの構成とした。
【０００８】
【実施例】
以下に、添付図面に基づき、本発明であるゴミ袋ケースについて、詳細に説明する。
【０００９】
図１は本発明であるゴミ袋を収納したゴミ袋ケースの全体を示した斜視図、図２はゴミ袋を収納したゴミ袋ケースの斜視図である。図１に示すように、ゴミ袋４を収納した直方体形状のゴミ袋ケース１は、蓋部２と、収納部３と、ゴミ袋４とからなり、ゴミ袋４が収納部３に折り畳まれて収納されている。
【００１０】
収納部３の正面片３ｄの中央にはカレンダー３ｔが印刷されており、カレンダー３ｔの左下方の位置には記入欄３ｕが設けてある。この記入欄３ｕには、会社等の名称、住所、連絡先等の情報を記入することができる。符号３ｒは、収納部３内に収納されているゴミ袋４を取り出すための取出口である。
【００１１】
図１及び図２に示すように、ゴミ袋ケース１の蓋部２は、元々収納部３の一部であり、切り離すことでゴミ袋ケース１を起立させるための保持台となり、収納部３の切り離された開口した開口部分はゴミ袋ケース１内に収納されている多数枚のゴミ袋４、４、４、４・・・・・を取り出すための取出口になる。
【００１２】
図３は、本発明であるゴミ袋ケースの左側面図であり、ゴミ袋がゴミ袋ケース内に収納されている状態を示した図である。図３に示すように、ゴミ袋ケース１の収納部３内に収納された多数のゴミ袋４は、中央に芯材３ｓを挟んでＷ字状に折り畳まれた状態で収納されている。
【００１３】
このように、Ｗ字状に多数のゴミ袋４、４、４、４・・・・が折り畳まれたゴミ袋４、４、４、４・・・・の頂部３ｙを引っ張ることで、密着しているにも拘わらず密着している他のゴミ袋４に引っかからずに取り出すことができる。
【００１４】
図４は、本発明であるゴミ袋ケースの展開図である。背面片３ｂの上側には、左側には底面左片３ｆを連設するとともに、左側には底面右片３ｇを連設した底片３ａが連設されている。
【００１５】
そして、背面片３ｂの左側には左側面片３ｉ、右側には右側面片３ｇが連設されている。前記左側面片３ｉの左側には左側面差込み片３ｈが折り畳み可能に連設されているとともに、前記右側面片３ｇの右側には右側面差込み片３ｋが折り畳み可能に連設されている。
【００１６】
背面片３ｂの下側には、左側には上面左片３ｌが連設されているとともに、右側には上面右片３ｍが連設されている上面片３ｃが連設されている。また、前記上面片３ｃの下側には、下端に台形状の内底片３ｅを連設した正面片３ｄが連設されている。
【００１７】
底面左片３ｆ、底片３ａ、背面片３ｂ及び左側面片３ｉの角が交わる部分と、底面右片３ｇ、底片３ａ、背面片３ｂ及び右側面片３ｊの角が交わる部分と、左側面片３ｉ、背面片３ｂ、上面片３ｃ及び上面左片３ｌの角が交わる部分と、右側面片３ｊ、背面片３ｂ、上面片３ｃ及び上面右片３ｍが角交わる部分にはＵ字状の隙間Ｕ字溝３ｏ、３ｏ、３ｏ、３ｏが形成されている。
【００１８】
図４に示すように、上面片３ｃと上面左片３ｌの連設する部分の下端と上面片３ｃと上面右片３ｍの連設する部分の下端には、Ｖ字状のＶ字溝３ｐ、３ｐが設けてある。また、前記正面片３ｄと内底片３ｅの連設する部分の左端及び右端の両端には、段差３ｑ、３ｑが設けられている。
【００１９】
上面片３ｃの中央には、蓋部２の底片２ａが設けられている。底片２ａは、多角形で略長方形状をしていて、上面片３ｃと一体を呈しているが、切取線より上面片３ｃから切り離すことができる。
【００２０】
背面片３ｂの下部の中央部には、左より蓋部２を構成する左後片２ｄ、左中片２ｂ及び左前片２ｅが設けられていて、左中片２ｂの上側には半円形の左半円片２ｈが連設されている。
【００２１】
前記左後片２ｄ及び左半円片２ｈが連設されている左中片２ｂと、左中片２ｂに連設されている左前片２ｅは、前記背面片３ｂと一体を呈しているが、切取線２ｌに従って背面片３ｂから切り離すことができる。
【００２２】
前記正面片３ｄの上部の中央部には、左より右後片２ｆ、右中片２ｃ及び右前片２ｇが設けられていて、右中片２ｃの下側には半円形の右半円片２ｉが連設されている。
【００２３】
前記右後片２ｆ及び右半円片２ｉが連設されている右中片２ｃ、右中片２ｃに連設されている右前片２ｇは、前記正面片３ｄと一体を呈しているが、切取線２ｌより正面片３ｄから切り離すことができる。
【００２４】
図４に示すように、左後片２ｄ、左中片２ｂ、左前片２ｅ、右後片２ｆ、右中片２ｃ及び右前片２ｇは、底片２ａに折り畳み可能に連設されている。また、左後片２ｄと左中片２ｂ、左中片２ｂと左前片２ｅは、左切取線２ｊ、２ｊより切り離すことができ、右後片２ｆと右中片２ｃ、右中片２ｃと右前片２ｇは右切取線２ｋ、２ｋより切り離すことができる。
【００２５】
図４に示すように、左後片２ｄと右後片２ｆ、左中片２ｂと右中片２ｃ、左前片２ｅと右前片２ｇ、左半円片２ｈと右半円片２ｉ、左切取線２ｊ、２ｊと右切取線２ｋ、２ｋは、底片２ａの上側及び下側に底片２ａを中心軸として上下に対称に折り畳み可能に連設されている。
【００２６】
図４に示すように、収納部３に連設する各片３ａ、３ｈ、３ｉ、３ｊ、３ｋ等及び蓋部２の底片２ａに連設する各片２ｂー２ｉ等は折り畳み可能に連設されている。蓋部２は、切取線２ｌから切り取ることができる。
【００２７】
そして、各片２ａ−２ｉ、３ａ−３ｍ等は、折畳線３ｚ、３ｚ、３ｚ、３ｚ、３ｚ、３ｚ・・・・・で折り畳むことができ、折り畳んで組み立てることによりゴミ袋ケース３ができる。左右半円片２ｈ、２ｉは、設けなくてもよい。
【００２８】
図５は、本発明であるゴミ袋ケースで使用する芯材の正面図である。図５に示すように、芯材３ｓの表面３ｗには、ゴミ袋リサイクル説明図３ｘが描かれている。勿論、背面にも同様の図を印刷しても良い。また、芯材３ｓの表面３ｗ及び背面には、各種企業の商品の広告を印刷し、広告媒体として利用することもできる。
【００２９】
図６は、本発明であるゴミ袋ケースを蓋部を組み立て、収納部を起立させてゴミ袋を取り出している状態を示した図である。収納部３から蓋部２を切り取り、蓋部２に収納部３を起立させるには以下の方法による。
【００３０】
蓋部２の右前片２ｇと左前片２ｅ及び左後片２ｄと右後片２ｆを折曲げて起立させ、右切取線２ｋより右中片２ｃを平坦になるように倒す。同様に左切取線２ｊより左中片２ｂを切り取り倒して、間にできたＵ字状の溝に収納部３の下部を差し込んで起立させる。
【００３１】
蓋部２を収納部３の切取線２ｌから切り離したことでできた取り出し口よりゴミ袋４は簡単に手５の指でＷ字状に折り畳んで収納されているゴミ袋４の頂部３ｙを摘み取り出すことができる。
【００３２】
また、前述のように、折り畳んで組み立てられた蓋部２上に起立しているため倒れにくく、カレンダー３ｔや会社等の情報が記入されている記入欄３ｕも見やすい。
【００３３】
図７は、本発明であるゴミ袋ケースの他の実施例の全体図である。図７に示すように、ゴミ袋ケース１ａの構造は、前記ゴミ袋ケース１とほぼ同じである。
【００３４】
相違している点は、折り畳んで組み立てられ、ゴミ袋４が収納されているゴミ袋ケース１ａの正面片３ｄ及び背面片３ｄの下端に、平坦にした蓋部２を挿入する挿入口３ｖが設けられているところである。この挿入口３ｖは、正面片３ｄと相対する背面片３ｂの下端にも設けられているので、平坦にした状態の蓋部２を挿入させることができる。
【００３５】
挿入口３ｖに挿入した後に、蓋部２の左前片２ｅと右前片２ｇを起立させることで、挿入口３ｖから外れないようにしている。また、背面片３ｂ側に貫通した左後片２ｄ及び右後片２ｆも同じく起立させる。このように起立させることにより収納部３から蓋部２が外れないようにする。
【００３６】
図８は、本発明であるゴミ袋ケース内に収納されるゴミ袋の折り畳み方を示した図である。本発明であるゴミ袋ケース１、１ａ内に収納される多数枚のゴミ袋４は、収納部３より取り出しやすくするために以下の方法で畳まれている。
【００３７】
第１に、ゴミ袋４を縦にした状態で第２折畳み線４ｈよりゴミ袋４を半分に折り畳み、開口部４ａと閉鎖部４ｂを揃える。この状態で第１面４ｃと第４面４ｆ及び第２面４ｄと第３面４ｅが重なっている。
【００３８】
第２に、第１折畳み線４ｇ及び第３折畳み線４ｉよりゴミ袋４を半分に折り畳み、開口部４ａ、閉鎖部４ｃ、第２折畳み線４ｈを揃える。この状態で第１面４ｃ、第４面４ｆ、第３面４ｅ、第２面４ｄの順番で重なっている。
【００３９】
第３に、ゴミ袋４を第５折畳み線４ｏより半分に折り畳み、第５面４ｊと第８面４ｍ及び、第６面４ｋと第７面４ｌが重なるようにする。
【００４０】
第４に、第４折畳線４ｎ及び第６折畳線４ｐより第５面４ｊ及び第８面４ｍをそれぞれ外側の反対方向にＷ字状になるように折り畳む。この状態で第５面４ｊ、第６面４ｋ、第７面４ｌ、第８面４ｍの順番で重なっている。
【００４１】
前述のように、Ｗ字状に折り畳まれたゴミ袋４を収納部３に収納する際には、第６面４ｋと第７面４ｌの間に芯材３ｓを挟んで収納する。この状態で収納することで、第５折畳み線４ｏの部分を摘み引き上げることで、折り畳んで収納し密着しているにも拘わらず他のゴミ袋４が引き出されることな、ゴミ袋４を１枚ずつ確実に取り出すことができる。
【００４２】
図９及び図１０は、本発明であるゴミ袋ケースの他の実施例の全体を示した斜視図である。図９に示すように、本実施例のゴミ袋ケース１ｂは、正面片３ｄの中央に印刷されたカレンダー３ｔを囲むようにして４個所に差込み用スリット８、８ａ、８ｂ、８ｃが設けられている。
【００４３】
図１０に示すように、差込み用スリット８、８ａ、８ｂ、８ｃには、写真８ｄや絵はがき等を差し込むことができる。差込み用スリット８、８ａ、８ｂ、８ｃに写真８ｄ等を差し込むと、正面片３ｄに印刷されているカレンダー３ｔは写真８ｄ等に隠れるようになっている。
【００４４】
図９及び図１０に示したような差込み用スリット８、８ａ、８ｂ、８ｃに写真８ｄ等を差し込むことで簡単に図柄を変えることができるので、消費者個人の好みや気分に合わせることが可能である。
【００４５】
【発明の効果】
本発明は、以上に説明したような構成であるから以下の効果が得られる。第１に、ケースよりゴミ袋を取り出す際にゴミ袋同士が絡まることがなく、一枚ずつ容易に取り出すことができる。
【００４６】
第２に、ケースに蓋部を設けたことで安定した状態でケースを立たせることができるため、ケース表面にカレンダーを印刷し、ゴミ袋を使用しない時でもカレンダーとして使用することができる。
【図面の簡単な説明】
【図１】本発明であるゴミ袋ケースの全体を示した斜視図である。
【図２】本発明であるゴミ袋ケースの斜視図である。
【図３】本発明であるゴミ袋ケースの左側面図である。
【図４】本発明であるゴミ袋ケースの展開図である。
【図５】本発明であるゴミ袋ケースで使用する芯材の正面図である。
【図６】本発明であるゴミ袋のケースからゴミ袋を取り出している状態を示した図である。
【図７】本発明であるゴミ袋ケースの他の実施例の全体図である。
【図８】本発明であるゴミ袋ケースで使用するゴミ袋の折り畳み方を示した図である。
【図９】本発明であるゴミ袋ケースの他の実施例の全体を示した斜視図である。
【図１０】本発明であるゴミ袋ケースの他の実施例の使用例を示した斜視図である。
【図１１】従来のゴミ袋の斜視図である。
【図１２】従来のゴミ袋の左側面図である。
【符号の説明】
１      ゴミ袋ケース
１ａ    ゴミ袋ケース
１ｂ    ゴミ袋ケース
２      蓋部
２ａ    底片
２ｂ    左中片
２ｃ    右中片
２ｄ    左後片
２ｅ    左前片
２ｆ    右後片
２ｇ    右前片
２ｈ    左半円片
２ｉ    右半円片
２ｊ    左切取線
２ｋ    右切取線
２ｌ    切取線
３      収納部
３ａ    底片
３ｂ    背面片
３ｃ    上面片
３ｄ    正面片
３ｅ    内底片
３ｆ    底面左片
３ｇ    底面右片
３ｈ    左側面差込み片
３ｉ    左側面片
３ｊ    右側面片
３ｋ    右側面差込み片
３ｌ    上面左片
３ｍ    上面右片
３ｎ    段差
３ｏ    Ｕ字溝
３ｐ    Ｖ字溝
３ｑ    段差
３ｒ    取出口
３ｓ    芯材
３ｔ    カレンダー
３ｕ    記入欄
３ｖ    挿入口
３ｗ    表面
３ｘ    ゴミ袋リサイクル説明図
３ｙ    頂部
３ｚ    折畳線
４      ゴミ袋
４ａ    開口部
４ｂ    閉鎖部
４ｃ    第１面
４ｄ    第２面
４ｅ    第３面
４ｆ    第４面
４ｇ    第１折畳み線
４ｈ    第２折畳み線
４ｉ    第３折畳み線
４ｊ    第５面
４ｋ    第６面
４ｌ    第７面
４ｍ    第８面
４ｎ    第４折畳み線
４ｏ    第５折畳み線
４ｐ    第６折畳み線
５      手
６      ゴミ袋ケース
６ａ    正面片
６ｂ    右側面片
６ｃ    上面片
６ｄ    蓋片
６ｅ    正面蓋片
６ｆ    半円片
６ｇ    上面左片
６ｈ    底面左片
６ｉ    左側面片
６ｊ    左側面差込み片
７      ゴミ袋
８〜８ｃ  差込み用スリット
８ｄ    写真
【図１】
2004182398.tif 000003
【図２】
2004182398.tif 000004
【図３】
2004182398.tif 000005
【図４】
2004182398.tif 000006
【図５】
2004182398.tif 000007
【図６】
2004182398.tif 000008
【図７】
2004182398.tif 000009
【図８】
2004182398.tif 000010
【図９】
2004182398.tif 000011
【図１０】
2004182398.tif 000012
【図１１】
2004182398.tif 000013
【図１２】
2004182398.tif 000014